(57)【要約】      （修正有）【課題】唾液の採取に良好に用いることができ、保管性に優れた唾液採取キットを提供する。【解決手段】唾液採取キット１０は、全体細長筒状であって、軸方向の一端に開口部１５ｂを有し、前記開口部を開閉可能に閉塞できる蓋１３を有する唾液収納容器１１と、前記唾液収納容器に対して前記開口部を介して挿入しかつその内部に収納可能な唾液採取具１２と、前記唾液採取具が収納された前記唾液収納容器を密閉した状態で収納可能な保管用袋１４と、前記唾液収納容器、前記唾液採取具及び前記保管用袋を収納した状態で使用者に配布する配布用袋１５とを備える。【選択図】図１
0003232338.tif 000002
【実用新案登録請求の範囲】
【請求項１】
全体細長筒状であって、軸方向の一端に開口部を有し、前記開口部を開閉可能に閉塞できる蓋を有する唾液収納容器と、
前記唾液収納容器に対して前記開口部を介して挿入しかつその内部に収納可能な唾液採取具と、
前記唾液採取具が収納された前記唾液収納容器を密閉した状態で収納可能な保管用袋と、前記唾液収納容器、前記唾液採取具及び前記保管用袋を収納した状態で使用者に配布する配布用袋とを備えたことを特徴とする、唾液採取キット。
【請求項２】
前記唾液収納容器は、前記軸方向の他端に、当該唾液収納容器の先端に向けて先窄まりとなるテーパ部を有すると共に、前記唾液採取具はストロー状に形成されていることを特徴とする、請求項１に記載の唾液採取キット。
【請求項３】
前記唾液収納容器は、採取される唾液の量に応じた目盛りまたは唾液の量の目安となる表示を有することを特徴とする、請求項３に記載の唾液採取キット。
【請求項４】
前記唾液採取具は、収納時には、その先端を全周に亘って前記テーパ部の内面に突き当てた状態で、その他端は前記開口部よりも下方に配置される長さ寸法を有することを特徴とする、請求項４に記載の唾液採取キット。
【請求項５】
前記保管用袋及び配布用袋には開口部を密閉可能に閉塞するチャック部が設けられていることを特徴とする、請求項１記載の唾液採取キット。
【考案の詳細な説明】
【技術分野】
【０００１】
本考案は、検体としての唾液の採取に用いられる唾液採取キットに関する。
【背景技術】
【０００２】
感染症予防検査のために被検者から唾液を採取する方法として、次の２つがある。一つは、鼻咽頭ぬぐい液方式であり、もう一つは、唾液採取方式である。
【考案の概要】
【考案が解決しようとする課題】
【０００３】
これらの採取方法のうち、後者の方法には、唾液を受けるのに比較的大型のビーカーや試験管が用いられることから、採取時に被検者の唾液が周囲に飛散する懸念がある。仮に採取時における飛散を防ぐことができたとしても、ビーカー等の大型の容器では、採取後の保管時に広い空間を占めることとなり、保管性が良好ではない。
【０００４】
現在、新型コロナウィルス対策の一環としてＰＣＲ検査が推奨されているところであり、ＰＣＲ検査においては特に医療上の安全から唾液を採取する際の飛散を防止することが求められる。
【０００５】
このような実情に鑑み、本考案は、唾液の採取に良好に用いることができ、保管性に優れた唾液採取キットを提供することを目的とする。
【課題を解決するための手段】
【０００６】
請求項１記載の唾液採取キットは、全体細長筒状であって、軸方向の一端に開口部を有し、前記開口部を開閉可能に閉塞できる蓋を有する唾液収納容器と、前記唾液収納容器に対して前記開口部を介して挿入しかつその内部に収納可能な唾液採取具と、前記唾液採取具が収納された前記唾液収納容器を密閉した状態で収納可能な保管用袋と、前記唾液収納容器、前記唾液採取具及び前記保管用袋を収納した状態で使用者に配布する配布用袋とを備えたことを特徴とする。
【０００７】
請求項２記載の唾液採取キットにあっては、前記唾液収納容器は、前記軸方向の他端に、当該唾液収納容器の先端に向けて先窄まりとなるテーパ部を有すると共に、前記唾液採取具はストロー状に形成されていることを特徴とする。
【０００８】
請求項３記載の唾液採取キットにあっては、前記唾液収納容器は、採取される唾液の量に応じた目盛りまたは唾液の量の目安となる表示を有することを特徴とする。
【０００９】
請求項４記載の唾液採取キットにあっては、前記唾液採取具は、収納時には、その先端を全周に亘って前記テーパ部の内面に突き当てた状態で、その他端は前記開口部よりも下方に配置される長さ寸法を有することを特徴とする。
【００１０】
請求項５記載の唾液採取キットにあっては、前記保管用袋及び配布用袋には開口部を開閉可能に閉塞するチャック部が設けられていることを特徴とする。
【考案の効果】
【００１１】
本考案によれば、唾液採取具により検体である唾液を採取するとともに、採取後、使用済みの唾液採取具を唾液収納容器に収納した状態で、保管用袋に収納して保管することができるため、唾液採取後の器具を被験者以外の、医療従事者を含めた第三者の手に触れない状態で、安全に保管することが可能となる。
また、唾液収納容器は全体細長円筒状に形成されており、その唾液収納容器内に、唾液採取具を使用して唾液を採取し、かつ採取後は唾液採取具を唾液収納容器内に収納することができるように構成されていることから、採取時における唾液の飛散を抑制するとともに、使用済みの唾液採取具を介して唾液が医療従事者に付着するのを回避することが可能となる。
【００１２】
さらに、使用済みの唾液採取具を全体細長筒状の唾液収納容器に収めた状態で保管するため、保管時に広い空間を占めることがなく、保管性に優れた唾液採取キットを提供することができる。
【００１３】
さらに、唾液収納容器の開口部には、唾液採取後には蓋をすることができることから、保管時に唾液が漏れたり、唾液収納容器に収納される使用済みの唾液採取具が外部へ流出する等の事態を防止することが可能となる。
【００１４】
請求項２記載の唾液採取キットにあっては、採取された唾液を唾液収納容器のテーパ部に溜めることができるため、基本的に少量である唾液の収納状態を目視により容易に確認することができる。
【００１５】
請求項３記載の唾液採取キットにあっては、目盛りまたは表示との比較により検査に必要な量の唾液を確実に採取することが可能となる。
【００１６】
請求項４記載の唾液採取キットにあっては、唾液採取具により唾液収納容器の目盛り等またはその近くにまで唾液を直接に送ることが可能となり、唾液の飛散をより確実に抑制することができる。また、収納時には唾液採取具は唾液収納容器の開口部下方に埋没する状態で収納されることから唾液採取具からの感染の恐れを排除することができる。
【００１７】
請求項５記載の唾液採取キットにあっては、前記保管用袋及び配布用袋には開口部を密閉可能に閉塞するチャック部が設けられていることから、使用前及び使用後の双方において、使用者以外の第三者が唾液採取器具に直接に触れる事態を有効に防止することが可能となり、第三者が器具に触れることによる唾液採取時における感染症対策を万全なものとすることが可能となる。
【図面の簡単な説明】
【００１８】
【図１】図１は、本考案の一実施形態に係る唾液採取キットの全体図であって、唾液収納容器と、唾液採取具と、折り畳まれた保管用袋と、これらの器具が配布用袋に収納された状態を示す説明図である。
【図２】図２は同様に、同上実施形態に係る唾液採取キットの（ａ）蓋、（ｂ）唾液収納容器および（ｃ）唾液採取具の構成図である。
【図３】図３は、同様に、配布用袋から取り出し、唾液採取具が唾液収納容器内に収納され、かつ蓋により開口部が閉塞されている状態を示す説明図である。
【図４】図４は、同上実施形態に係る唾液採取キットの使用方法を模式的に示す概略図である。
【図５】図５は、唾液採取後、唾液採取具が唾液収納容器に収納され、蓋により開口部が閉塞された唾液収納容器を保管用袋内に収納してチャック部により密閉した状態を示す説明図である。
【考案を実施するための形態】
【００１９】
図１は、本考案の一実施形態に係る唾液採取キット１０を示し、唾液採取用キット１０は、唾液収納容器１１と、唾液採取具１２と、折り畳まれた保管用袋１４と、唾液収納容器１１、唾液採取具１２及び保管用袋１４が収納された配布用袋１５とにより構成されている。
【００２０】
使用前においては、配布用袋１５内において、唾液採取具１２は唾液収納容器１１とは別個に配置され、唾液収納容器１１においては蓋１３により開口部１１ａが閉止された状態にある。
【００２１】
即ち、各器具を、使用前においては、外部に対して完全に密封された状態で保管するとともに、医療従事者以外の者、具体的には、検体採取者以外の者による接触の機会を排除するため、唾液収納容器１１、唾液採取具１２、及び折り畳まれた保管用袋１４は、チャック部付きの保管用袋１５にチャック部１５ａを閉じた状態で収納されている。
【００２２】
図２は、本実施形態に係る唾液採取キット１の（ａ）蓋１３、（ｂ）唾液収納容器１１および（ｃ）唾液採取具１２の構成図である。この場合、唾液収納容器１１は、採取された唾液を収納するための器具である。
【００２３】
唾液収納容器１１は、全体細長筒状の試験管状に形成され、軸方向の一端に、唾液収納容器１１の内部を外部と連通させる開口部１１ａを有している。また、開口部１１ａの下方近傍には外周面部にネジ部１１２が設けられており、このネジ部１１２により蓋部１３が密着状態で接合され開口部１１ａを被覆するように構成されている。
唾液収納容器１１の他端は、外部に対して閉塞された状態にあり、唾液収納容器１１の先端１１ｂに向けて先窄まりとなるテーパ部１１１を有している。テーパ部１１１は、唾液収納容器１１の先端１１ｂで終結するように構成されている。
【００２４】
本実施形態において、唾液収納容器１１のうち、テーパ部１１１を除く他の部分は、軸方向の全体に亘って一定の内径および外径を有する。このテーパ部１１１を除く部分において、唾液の採取および収納に有利な形状が付与されてもよい。
【００２５】
さらに、唾液収納容器１１は、採取される検体、即ち、唾液の量の目安となる表示Ｍを有する。表示Ｍは、例えば、採取すべき唾液の容積（例えば、１ｍｌ）を基準とする一定の範囲に亘って帯状に表示されたものであり、採取後に実施される検査の内容および採取に際して求められる精度に応じてその位置および範囲を適宜に調節することが可能である。
【００２６】
唾液の量の把握は、帯状の表示Ｍによるばかりでなく、採取される唾液の量に応じた目盛りによっても可能である。このような目盛りは、唾液収納容器１１の軸方向に連なる一群の線分として、唾液収納容器１１の表面、例えば、唾液収納容器１１のテーパ部１１１を除く部分の表面に付することが可能である。
【００２７】
唾液採取具１２は、採取される唾液を被検者の口腔内から唾液収納容器１１の内部、具体的には、テーパ部１１１に送り込むための器具である。
【００２８】
唾液採取具１２は、全体略ストロー形状に形成され、唾液収納容器１１よりも細い長尺の形状をなし、基端部１２１と先端部１２２とを有する。基端部１２１は、唾液の採取に際して被検者が口を付ける吐出部となり、先端部１２２は、採取に際して唾液収納容器１１の比較的深い位置にまで挿入され、テーパ部１１１に向けて唾液を排出する排出部となる。
【００２９】
唾液採取具１２は、唾液収納容器１１に対して開口部１１ａを介して挿入可能な外径を有するとともに、軸方向の全体が唾液収納容器１１の内部に収納可能な長さ寸法Ｌ（図３）を有する。
【００３０】
本実施形態において、長さ寸法Ｌは、図３に符号Ａにより示すように、唾液採取具１２が、その先端を全周に亘って唾液収納容器１１のテーパ部１１１の内面に突き当てた状態で、その他端は前記開口部１１ａよりもやや下方に配置される長さ寸法を有している。
【００３１】
蓋１３は、採取時以外のとき、即ち、唾液採取キット１の使用前および採取後の保管時に唾液収納容器１１の開口部１１ａを閉止し、唾液収納容器１１の内部を密封するように構成されている。
【００３２】
蓋１３は、その外周に開閉時における滑り防止のためのローレットが設けられるとともに、内周に雌ネジが形成され、唾液収納容器１１、特にその開口部１１ａ近傍の端部に形成された雄ネジと螺合することにより、唾液収納容器１１に対して着脱可能である。
【００３３】
本実施形態において、蓋１３は短円筒状に形成され、内周面部には唾液収納容器１１のネジ部１１２と螺合するネジ部１３ａが形成されている。
【００３４】
従って、蓋１３を唾液収納容器１１の開口部１１ａを被覆して、ネジ部１３ａをネジ部１１２に螺合させた場合には、蓋１３により確実に開口部１１ａを強固に被覆し、容易には開口部１１ａが開放されないように閉止することが可能となる。
【００３５】
唾液採取キット１の材料として適用可能なものに、唾液収納容器１１および唾液採取具１２についてはポリプロピレンが、蓋１３についてはポリエチレンがある。
【００３６】
これらの器具要素１１、１２、１３は、いずれも滅菌処理が施された後、唾液採取具１２、蓋１３付きの唾液収納容器１１及び折り畳まれた保管用袋１４が、チャック部１５ａ付きの配布用袋１５に収納され、チャック部１４ａにより開口部１４ｂは密閉される。この場合、適用可能な滅菌処理として、γ線による滅菌処理がある。
【００３７】
なお、本実施の形態にあっては、配布用袋１５は側面長方形状に形成され、長さ方向両端部に開口部１５ｂ、１５ｂが形成されると共に、それぞれの開口部１５ｂ、１５ｂにチャック部１５ａ．１５ａが設けられ、双方の開口部１５ｂ、１５ｂを密閉可能に開閉できるように構成されている。
【００３８】
図４は、本実施形態に係る唾液採取キット１の使用方法を模式的に示す概略図である。
【００３９】
被検者Ｐは、配布用袋１５のチャック部１５ａを開放して、唾液収納容器１１と、唾液採取具１２と、折り畳まれた保管用袋１４とを取り出し、唾液収納容器１１から蓋１３を取り外す。
次いで、被検者Ｐは、唾液採取具１２をその先端部１２２から唾液収納容器１１に挿入し、唾液採取具１２の先端部１２２を唾液収納容器１１の表示Ｍの近くに位置付けた後、唾液採取具１２の基端部１２１に口を付け、口腔内に溜めた唾液を、唾液採取具１２を介して唾液収納容器１１に送り込む。
【００４０】
そして、被検者Ｐは、表示Ｍが示す範囲に至るまで唾液Ｓを注入した後、唾液採取具１２を口から外して、唾液収納容器１１に入れ、さらに、蓋１３により、ネジ部１３ａを唾液収納器１１のネジ部１１２に螺合させて開口部１１ａを閉止した後、唾液採取具１２が収められた唾液収納容器１１を保管用袋１４に収めて、チャック部１４ａにより開口部１４ｂを密封して、適宜の場所に保管することが可能となる。
【００４１】
本実施形態に係る唾液採取キット１０によれば、唾液採取具１２により検体である唾液を採取するとともに、採取後、使用済みの唾液採取具１２を唾液収納容器１１に収納して蓋１３により開口部１１ａを閉止し、さらに、保管用袋１４に、チャック部１４ｂにより密閉した状態で保管することが可能であるので、採取時に唾液の飛散を抑制するとともに、使用済みの唾液採取具１２、唾液収納容器１１を介して何らかのタイミングにおいて唾液が医療従事者に付着するのを回避することができる。
【００４２】
以上に加え、本実施形態によれば、唾液収納容器１１の開口部１１ａに蓋１３をすることで、保管時に唾液が容器１１から漏れたり、容器１１に収まる使用済みの唾液採取具１２が抜け落ちたりするのを防止することが可能である。
【００４３】
さらに、唾液収納容器１１にテーパ部１１１を設け、採取された唾液をこのテーパ部１１１に溜めることで、唾液の量の目視による目安を得ることが容易となる。
【００４４】
さらに、唾液収納容器１１に採取された唾液の量の目安となる表示Ｍを設けることで、この表示Ｍとの比較により検査に必要な量の唾液を確実に採取することが可能となる。表示Ｍに代えて唾液の量に応じた目盛りを付してもよく、目盛りの採用により、より正確な量の唾液の採取が可能となる。
【００４５】
さらに、唾液採取具１２を細長く形成し、唾液採取具１２に対し、先端部１２２をその全周に亘って唾液収納容器１１のテーパ部１１１の内面に突き当てた状態で、基端部１２１が表示Ｍよりも開口部１１ａの近くに位置し、特に蓋１３の突出部１３１またはその底面に突き当たるほどの長さ寸法Ｌを付することで、唾液採取具１２により唾液収納容器１１の深い位置にまで、例えば、表示Ｍまたはその近くにまで唾液を直接届けることが可能となり、唾液の飛散をより確実に抑制することができる。
【符号の説明】
【００４６】
１０…唾液採取キット
１１…唾液収納容器
１１ａ…開口部
１１ｂ…先端
１１１…テーパ部
１１２…ネジ部
１２…唾液採取具
１２１…基端部
１２２…先端部
１３…蓋
１３ａ…ネジ部
１３１…突出部
１４…保管用袋
１４ａ…チャック部
１４ｂ…開口部
１５…配布用袋
１５ａ…チャック部
１５ｂ…開口部
Ｍ…表示
Ｓ…唾液
Ｐ…被検者
【図１】
0003232338.tif 000003
【図２】
0003232338.tif 000004
【図３】
0003232338.tif 000005
【図４】
0003232338.tif 000006
【図５】
0003232338.tif 000007
【手続補正書】
【提出日】令和3年1月4日(2021.1.4)
【手続補正１】
【補正対象書類名】実用新案登録請求の範囲
【補正対象項目名】請求項３
【補正方法】変更
【補正の内容】
【請求項３】
前記唾液収納容器は、採取される唾液の量に応じた目盛りまたは唾液の量の目安となる表示を有することを特徴とする、請求項１に記載の唾液採取キット。
【手続補正２】
【補正対象書類名】実用新案登録請求の範囲
【補正対象項目名】請求項４
【補正方法】変更
【補正の内容】
【請求項４】
前記唾液採取具は、収納時には、その先端を全周に亘って前記テーパ部の内面に突き当てた状態で、その他端は前記開口部よりも下方に配置される長さ寸法を有することを特徴とする、請求項１に記載の唾液採取キット。
【手続補正書】
【提出日】令和3年3月31日(2021.3.31)
【手続補正１】
【補正対象書類名】実用新案登録請求の範囲
【補正対象項目名】請求項４
【補正方法】変更
【補正の内容】
【請求項４】
前記唾液採取具は、収納時には、その先端を全周に亘って前記テーパ部の内面に突き当てた状態で、その他端は前記開口部よりも下方に配置される長さ寸法を有することを特徴とする、請求項２に記載の唾液採取キット。